(57)【要約】【課題】用途によって閉鎖空間としたり、開放空間としたりでき、自由に空間を仕切ることのできる間仕切り壁を提供する。【解決手段】本体３と左右の間仕切り板５，６からなる間仕切りユニット２Ａ，２Ｂ，２Ｃ，２Ｄの、本体３は、床面に固定される縦長直方体形状をなし、左右の間仕切り板５，６は、本体３の左右両端にそれぞれヒンジ４ａ，４ｂを介し水平面内で回動可能に取り付けられ、間仕切り板５，６は本体３と略同じ幅および高さ寸法に設定されている。【選択図】図４
2009257016.tif 000002
【特許請求の範囲】
【請求項１】
本体と左右の間仕切り板からなる間仕切りユニットで構成された間仕切り壁であって、
前記本体は、床面に固定される縦長直方体形状をなし、
前記左右の間仕切り板は、前記本体の左右両端にそれぞれ水平面内で回動可能に取り付けられているとともに、前記本体と略同じ幅および高さ寸法に形成されている
ことを特徴とする間仕切り壁。
【請求項２】
前記本体には、洗面台，シャワー，便器のうち何れか１つ以上が付設されていることを特徴とする請求項１に記載の間仕切り壁。
【請求項３】
前記間仕切りユニットを向かい合わせに間隔をおいて２体設置してなる請求項１または請求項２に記載の間仕切り壁。
【請求項４】
前記向かい合わせの２体の間仕切りユニットを、間隔をおいて平行に２組設置してなる請求項３に記載の間仕切り壁。
【発明の詳細な説明】
【技術分野】
【０００１】
本発明は、用途によって、閉鎖空間としたり、開放空間としたりでき、自由に空間を仕切ることのできる間仕切り壁に関するものである。
【背景技術】
【０００２】
従来、特許文献１に開示されているような間仕切り構造が存在する。
この間仕切り構造では、間仕切り壁が、仕切られる第１室と第２室の占有割合を変化させることができるように移動可能に設置されており、間仕切り壁を移動して第２室を狭くすることで第１室を広くすることができるとともに、第１室を狭くすることで第２室を広くすることができるものとしている。
【特許文献１】特開２００５−２４０４３８号公報
【発明の開示】
【発明が解決しようとする課題】
【０００３】
上記特許文献１に開示されている間仕切り構造では、間仕切り壁の位置を移動させるだけであり、開放空間を形成させることはできないものであった。
【課題を解決するための手段】
【０００４】
本発明は、用途によって閉鎖空間としたり開放空間としたりできる間仕切り壁の提供を目的の１つとし、この目的の少なくとも一部を達成するために以下の手段を採った。
本発明は、本体と左右の間仕切り板からなる間仕切りユニットで構成された間仕切り壁であって、前記本体は、床面に固定される縦長直方体形状をなし、前記左右の間仕切り板は、前記本体の左右両端にそれぞれ水平面内で回動可能に取り付けられているとともに、前記本体と略同じ幅および高さ寸法に形成されていることを要旨とする。
【発明の効果】
【０００５】
本発明の間仕切り壁は、本体と、この本体に対し左右両端に設けられて水平面内で回動可能な間仕切り板からなる間仕切りユニットで構成されているため、間仕切り板を回動させることにより自由に空間を仕切ることができ、用途によって、閉鎖空間を形成したり、或いは開放空間を形成したりすることができる。
【０００６】
また、本発明の間仕切り壁において、前記本体には、洗面台，シャワー，便器のうち何れか１つ以上が付設されている構成とすることもできる。
こうすれば、洗面台，シャワー，便器等の水廻り設備の使用用途によって自由に空間を仕切ることができるものとなる。
【０００７】
また、本発明の間仕切り壁において、前記間仕切りユニットを向かい合わせに間隔をおいて２体設置して構成することもできる。
こうすれば、２体の間仕切りユニットのそれぞれの間仕切り板により、２体の本体間に閉鎖空間を形成することができ、また、間仕切り板を開けて開放空間にすることもできる。
【０００８】
また、本発明の間仕切り壁において、前記向かい合わせの２体の間仕切りユニットを、間隔をおいて平行に２組設置して構成することもできる。
こうすれば、合計４体の間仕切りユニットを用いて広い閉鎖空間を形成することもでき、また、２体ずつでそれぞれ異なる閉鎖空間を形成することもでき、自由に空間を仕切って用途によって空間を使い分けることができるものとなる。
【発明を実施するための最良の形態】
【０００９】
次に、本発明を実施するための最良の形態を実施例を用いて説明する。
【実施例１】
【００１０】
図１は、第１実施例を示し、１体の間仕切りユニットを用いた場合の平面概略構成図である。
間仕切りユニット２は、透明あるいは乳白色のアクリルで縦長直方体形状に形成された透光性を有する本体３と、本体３の左右両端に、ヒンジ４ａ，４ｂを介してそれぞれ水平面内で開閉可能に間仕切り板５，６が設けられており、左右の間仕切り板５，６は、本体３と同じ幅長および高さ寸法を有し、ヒンジ４ａ，４ｂを介して本体３の裏側に重ね合わせ状に収納できるように構成されている。
この左右の間仕切り板５，６は不透明な素材で形成され、格子柄状等にパンチ孔が貫通形成されており、後述するように、左右の間仕切り板５，６を重ね合わせると、本体３側からの光が、重ね合わされた間仕切り板５，６の格子柄状のパンチ孔を通して漏れることで、光のグラフィック模様が現れるように構成されている。
【００１１】
なお、本例の間仕切りユニット２では、本体３の前側に、鏡７と洗面器８が取り付けられており、洗面台として使用できるように構成されている。
このような間仕切りユニット２を室内の直交状の壁面１ａ，１ｂ付近に、本体３を壁面１ａに平行状にして床面に固定しておけば、本体３に対し左右の間仕切り板５，６を壁面１ａ側へ回転させて、間仕切り板５，６の自由端側を壁面１ａにほぼ当接状態にすれば、本体３と左右の間仕切り板５，６と壁面１ａ間に閉鎖された洗面空間Ｓ１が形成されることとなり、洗面空間Ｓ１内で洗面行為等を行えるものである。
【００１２】
また、左側の間仕切り板５の自由端側を壁面１ｂにほぼ当接状態となるように壁面１ａに平行状に配置すれば、洗面空間Ｓ１を壁面１ｂ側まで延びる広い空間に変更することができるものである。
なお、さらに、右側の間仕切り板６を開けて、間仕切り板６側を洗面空間Ｓ１内への出入り口として利用することもできるものである。さらに、間仕切り板６と間仕切り板５をそれぞれ壁面１ａに平行状に配置して、図示右側が開放された広い洗面空間Ｓ１として使用することもできる。
【００１３】
図２は変更例を示すものであり、図２では、直交状の壁面１ａ，１ｂに対し傾斜状に間仕切りユニット２を配置した例であり、間仕切りユニット２をこのように配置すれば、左右の間仕切り板５，６の自由端側をそれぞれ壁面１ａ，１ｂにほぼ当接状にして、壁面１ａ，１ｂと本体３と間仕切り板５，６で包囲されたシャワー空間Ｓ２を室内に形成させることができるものとなる。
なお、この図２の間仕切りユニット２の本体３の前面には、シャワー９が設けられており、閉鎖された空間をシャワー空間Ｓ２として使用することができ、内部でシャワーを浴びることができるものとなる。
【実施例２】
【００１４】
次に、図３は第２実施例を示し、図３では、間仕切りユニット２を４体室内に設置して構成したものである。
即ち、本体３の前面に便器１０とペーパーホルダー１１あるいはランプ１２等を設けた間仕切りユニット２Ａに対し、間隔をおいて向かい合わせにして、前述した図１のような洗面器８および鏡７を設けた間仕切りユニット２Ｂを配置させる。また、間仕切りユニット２Ａに対し、間隔をおいて横並びに、シャワー９を本体３の前面に有する間仕切りユニット２Ｄを配置し、この間仕切りユニット２Ｄに対し間隔をおいて向かい合わせにして、本体３の前面にベンチ等を備えた間仕切りユニット２Ｃを配置させて、４体の間仕切りユニット２Ａ，２Ｂ，２Ｃ，２Ｄを平面長方形状のシャワー板１４の各コーナー部にそれぞれ本体３を固定して設置することができる。
【００１５】
それぞれの間仕切りユニット２Ａ，２Ｂ，２Ｃ，２Ｄの左右の間仕切り板５，６を本体３の裏側に収納させておくと、図３のように開放された空間となる。
なお、各間仕切りユニット２Ａ，２Ｂ，２Ｃ，２Ｄの本体３内には蛍光灯１３等を設けておき、この蛍光灯１３あるいはランプ１２が点灯されることにより、透明あるいは乳白色の本体３から光が放出され、間仕切り板５，６に形成されている格子柄状のパンチ孔から光が外方に漏れて、室内を良好に演出照明することができ、各間仕切り板５，６を重ね合わせた状態では、さらに異なるグラフィック模様の光が外部に透射されて、室内の演出効果を高めることができるものである。
【００１６】
この図３のような配置状態において、図４に示すように、間仕切りユニット２Ａと間仕切りユニット２Ｂのそれぞれの間仕切り板５，６を水平面内で回転させて、閉鎖されたトイレ空間Ｓ３を形成することができ、トイレとして使用することができるものとなる。
また、図示右側の間仕切りユニット２Ｃと間仕切りユニット２Ｄのそれぞれの間仕切り板５，６を回転させて、閉鎖されたシャワー空間Ｓ２を形成させることができ、内部でシャワーを浴びることができるものとなる。
このように向かい合わせの２体の間仕切りユニット２Ａ，２Ｂあるいは２Ｃ，２Ｄにより、それぞれトイレ空間Ｓ３あるいはシャワー空間Ｓ２を適宜室内に形成させて使用することができるものとなる。
【００１７】
また、さらに、４体の間仕切りユニット２Ａ，２Ｂ，２Ｃ，２Ｄのそれぞれの間仕切り板５，６を回転させて、図５のように広い閉鎖空間を形成させることもでき、図５では、内部で便器１０あるいは洗面器８を使用することもでき、さらにシャワーを浴びることもできるものとなる。
この図５のように、４体の間仕切りユニット２Ａ，２Ｂ，２Ｃ，２Ｄで１つの閉鎖空間を形成した場合の平面図は図６に示す。
【００１８】
なお、図７は、間仕切りユニット２Ｂの間仕切り板５，６を収納した状態の概略斜視構成図である。また、図８は、間仕切りユニット２Ｄの間仕切り板５，６を収納した状態の概略斜視構成図である。また、図９は、間仕切りユニット２Ａの間仕切り板５，６を収納した状態の概略斜視構成図である。また、図１０は、間仕切りユニット２Ｃの間仕切り板５，６を収納した状態の概略斜視構成図である。
【００１９】
図１０では、着替え等を置くことのできる折り畳み式のベンチ１５が設けられた例であり、このベンチ１５は本体３と面一状に折り畳むことができ、使用状態では支持板１５ａに支持されて、ベンチ１５は水平に本体３から突出されるものであり、このベンチ１５上に着替えを置いたり、また腕を置いたりして身体を支えることもできるように構成されている。
【００２０】
なお、図１１は変更例を示すものであり、図１１では、鏡７と洗面器８を備えた間仕切りユニット２Ｂに向かい合わせに、腰掛けることのできるベンチ１６を備えた間仕切りユニット２Ａを配置した場合の使用状態図である。
このようなベンチ１６が設けられたものでは、ベンチ１６上に腰を降ろして、閉鎖した空間内で読書等を行うことができるものとなる。
【００２１】
なお、図１２は、各間仕切りユニット２Ａ，２Ｂ，２Ｃ，２Ｄに備えられている間仕切り板５の正面構成図であり、不透明素材で形成された間仕切り板５にはパンチ孔で貫通状に格子柄５ａ等が形成されている。
図１３は、各間仕切りユニット２Ａ，２Ｂ，２Ｃ，２Ｄに備えられている間仕切り板６の正面構成図であり、間仕切り板６にも異なる模様の格子柄６ａ等が貫通状に形成されている。
この不透明な間仕切り板５，６を本体３の裏側へ重ね合わせて収納させた状態では、図１４に示すような、重ね合わせたことによる別のグラフィック模様Ｇが現れ、本体３に設けられている照明からの光でグラフィック模様Ｇが室内に浮かび上がり、例えばこのグラフィック模様Ｇはシンボルマークのような模様であり、この模様の光が外へ出ることで、室内が良好に演出されるものとなる。
【図面の簡単な説明】
【００２２】
【図１】１体の間仕切りユニットを用いて空間を仕切る場合の平面概略構成図である。
【図２】１体の間仕切りユニットの配置状態を変更した場合の平面構成図である。
【図３】４体の間仕切りユニットを配置し、各間仕切りユニットの間仕切り板を収納させた状態の配置斜視構成図である。
【図４】図３の状態から向かい合う間仕切りユニットの間仕切り板を回転させて閉鎖空間を２個形成した場合の斜視構成図である。
【図５】図３の状態から各間仕切りユニットの間仕切り板を回転させて１個の広い閉鎖空間を形成した場合の斜視構成図である。
【図６】図５の状態の平面概略構成図である。
【図７】鏡と洗面器を設けた間仕切りユニットの斜視構成図である。
【図８】シャワーを設けた間仕切りユニットの斜視構成図である。
【図９】便器を設けた間仕切りユニットの斜視構成図である。
【図１０】ベンチを設けた間仕切りユニットの斜視構成図である。
【図１１】洗面器を備えた間仕切りユニットとベンチを備えた間仕切りユニットを向かい合わせに設置した使用状態の斜視構成図である。
【図１２】各間仕切りユニットの一方側の間仕切り板の正面構成図である。
【図１３】各間仕切りユニットの他方側の間仕切り板の正面構成図である。
【図１４】図１２の間仕切り板と図１３の間仕切り板を重ね合わせることによりグラフィック模様が現れる状態を示す正面構成図である。
【符号の説明】
【００２３】
１ａ，１ｂ  壁面
２，２Ａ，２Ｂ，２Ｃ，２Ｄ  間仕切りユニット
３  本体
４ａ，４ｂ  ヒンジ
５，６  間仕切り板
５ａ，６ａ  格子柄状等のパンチ孔
７  鏡
８  洗面器
９  シャワー
１０  便器
１２  ランプ
１３  蛍光灯
１４  シャワー板
１５，１６  ベンチ
Ｇ  グラフィック模様
【図１】
2009257016.tif 000003
【図２】
2009257016.tif 000004
【図３】
2009257016.tif 000005
【図４】
2009257016.tif 000006
【図５】
2009257016.tif 000007
【図６】
2009257016.tif 000008
【図７】
2009257016.tif 000009
【図８】
2009257016.tif 000010
【図９】
2009257016.tif 000011
【図１０】
2009257016.tif 000012
【図１１】
2009257016.tif 000013
【図１２】
2009257016.tif 000014
【図１３】
2009257016.tif 000015
【図１４】
2009257016.tif 000016